(57)【特許請求の範囲】
【請求項１】
誘電体フィルムに金属蒸着電極が形成された金属化フィルムを所定の巻芯方向を中心に巻回してなる円柱状のコンデンサ素子と、
前記コンデンサ素子の一方端側に形成された第１端面に設けられた第１の取出し電極と、
前記コンデンサ素子の他方端側に形成された第２端面に設けられた第２の取出し電極と、
前記コンデンサ素子ならびに前記第１および第２の取出し電極を収容し、当該第１の取出し電極が位置する側を開口部とする有底筒状のケースと、
前記第１の取出し電極側に設けられ、外部接続端子として機能する第１および第２の電極端子と、
前記第１の電極端子と前記第１の取出し電極とを接続する第１の接続導体と、
前記コンデンサ素子の外周側面に沿って延びる延長部を有し、前記第２の電極端子と前記第２の取出し電極とを接続する帯状の第２の接続導体と
を備え、
前記延長部は、前記巻芯方向に対して傾斜しつつ前記円柱状のコンデンサ素子の外周側面に沿って湾曲するように延設され、
前記第２の接続導体は、前記第１端面に沿って延びるとともに、前記第２の電極端子に接続される一端部と、前記第２端面に沿って延びるとともに、前記第２の取出し電極に接続される他端部と、前記一端部から前記延長部へと屈曲する第１の屈曲部と、前記延長部から前記他端部へと屈曲する第２の屈曲部とを有し、
前記第１および第２の屈曲部は、前記一端部および他端部の幅方向に対して斜めに屈曲形成されていることを特徴とする、フィルムコンデンサ。
【請求項２】
誘電体フィルムに金属蒸着電極が形成された金属化フィルムを所定の巻芯方向を中心に巻回してなる円柱状のコンデンサ素子と、
前記コンデンサ素子の一方端側に形成された第１端面に設けられた第１の取出し電極と、
前記コンデンサ素子の他方端側に形成された第２端面に設けられた第２の取出し電極と、
前記コンデンサ素子ならびに前記第１および第２の取出し電極を収容し、当該第１の取出し電極が位置する側を開口部とする有底筒状のケースと、
前記第１の取出し電極側に設けられ、外部接続端子として機能する第１および第２の電極端子と、
前記第１の電極端子と前記第１の取出し電極とを接続する第１の接続導体と、
前記コンデンサ素子の外周側面に沿って延びる延長部を有し、前記第２の電極端子と前記第２の取出し電極とを接続する帯状の第２の接続導体と
を備え、
前記延長部は、前記巻芯方向に対して傾斜しつつ前記円柱状のコンデンサ素子の外周側面に沿って湾曲するように延設され、
前記第２の接続導体は、前記第１端面に沿って延びるとともに、前記第２の電極端子に接続される中間部と、前記第２端面に沿って延びるとともに、前記中間部の両側に前記第２の取出し電極に独立して接続される両端部と、前記中間部と前記両端部との間に形成される一対の前記延長部と、前記中間部から前記延長部のそれぞれへと屈曲する一対の第１の屈曲部と、前期延長部のそれぞれから前記両端部のそれぞれへと屈曲する一対の第２の屈曲部とを有し、
前記第１および第２の屈曲部は、前記中間部および前記両端部の幅方向に対して斜めに屈曲形成されていることを特徴とする、フィルムコンデンサ。
【発明の詳細な説明】
【技術分野】
【０００１】
本発明は、たとえば円筒状のケースにコンデンサ素子を収容して構成されるフィルムコンデンサに関する。
【背景技術】
【０００２】
従来のフィルムコンデンサには、たとえば特許文献１に開示されたものがある。
この文献に開示されたフィルムコンデンサは、２つのコンデンサ素子を有底円筒状のケースに収容して構成されている。ケースの開口部には、蓋が設けられている。蓋には、２つの電極端子が設けられている。
コンデンサ素子は、誘電体フィルムに金属蒸着電極が形成された金属化フィルムを巻回して円柱状に形成されている。各コンデンサ素子の両端面には、取出し電極が設けられている。たとえば、蓋に対して近い方のコンデンサ素子の端面（上側の端面）に設けられた取出し電極と一方の電極端子とは、第１の接続導体（箔状接続端子）を介して接続されている。蓋に対して遠い方のコンデンサ素子の端面（底側の端面）に設けられた取出し電極と他方の電極端子とは、第２の接続導体（箔状接続端子）を介して接続されている。
第１および第２の接続導体は、帯状の金属箔により構成されている。特に、各コンデンサ素子に接続された第２の接続導体は、当該コンデンサ素子の外周側面に沿ってその巻芯方向（巻芯の軸方向をいう。以下同様。）に延びる延長部を有する。この延長部は、ケースの内周壁とコンデンサ素子の外周側面との間に配置され、コンデンサ素子の外周側面一部を覆う。このような構成は、１つのコンデンサ素子をケースに収容したものでも同様である。
【０００３】
図１３は、従来のフィルムコンデンサの一部切欠き底面図である。同図に示すように、従来のフィルムコンデンサでは、第２の接続導体６００がケース１００の内周壁１２０と干渉しないように配置される。
第２の接続導体６００の端部６００Ｂは、コンデンサ素子３００の底面３００Ｂに沿って延び、はんだ付けなどにより底面３００Ｂに接合されている。これにより、端部６００Ｂは、底面３００Ｂに形成された取出し電極に接続されている。端部６００Ｂは、コンデンサ素子３００の外周側面３００Ｃより僅かに外方まで延び、この端部６００Ｂから延長部６００Ｃへと屈曲している。
これにより、端部６００Ｂと延長部６００Ｃとの間に屈曲部６００Ｅが形成されている。屈曲部６００Ｅは、端部６００Ｂから延長部６００Ｃへと直角に屈曲し、底面３００Ｂの円弧状の縁部に沿っている。特に図示しないが、コンデンサ素子３００の上面側においても、第２の接続導体６００の端部と延長部６００Ｃとの間に同様の屈曲部が形成されている。
【先行技術文献】
【特許文献】
【０００４】
【特許文献１】特開２００９−２７７８２８号公報
【発明の概要】
【発明が解決しようとする課題】
【０００５】
しかしながら、上記従来のフィルムコンデンサでは、図１４に示すように、ケース１００の内周壁１２０と屈曲部６００Ｂとの干渉を避けるために、延長部６００Ｃをそれほど幅広に形成することができない。そのため、耐電流性能を向上させにくいという難点があった。
【０００６】
また、上記従来のフィルムコンデンサでは、上述の理由からコンデンサ素子３００の外周側面３００Ｃに対して延長部６００Ｃが覆う面積をそれほど大きくできない。そのため、コンデンサ素子３００において生じる磁束と第２の接続導体６００を流れる電流により生じる磁束とは、互いに打ち消し合う効果がそれほど高められない。これにより、インダクタンスを低減させにくくなっている。
【０００７】
本発明は、上記の点に鑑みてなされたものであり、その目的とするところは、耐電流性能を高めるとともに、インダクタンスを低減させることができるフィルムコンデンサを提供することにある。
【課題を解決するための手段】
【０００８】
本発明のフィルムコンデンサは、誘電体フィルムに金属蒸着電極が形成された金属化フィルムを所定の巻芯方向を中心に巻回してなる円柱状のコンデンサ素子と、前記コンデンサ素子の一方端側に形成された第１端面に設けられた第１の取出し電極と、前記コンデンサ素子の他方端側に形成された第２端面に設けられた第２の取出し電極と、前記コンデンサ素子ならびに前記第１および第２の取出し電極を収容し、当該第１の取出し電極が位置する側を開口部とする有底筒状のケースと、前記第１の取出し電極側に設けられ、外部接続端子として機能する第１および第２の電極端子と、前記第１の電極端子と前記第１の取出し電極とを接続する第１の接続導体と、前記コンデンサ素子の外周側面に沿って延びる延長部を有し、前記第２の電極端子と前記第２の取出し電極とを接続する帯状の第２の接続導体とを備え、前記延長部は、前記巻芯方向に対して傾斜しつつ前記円柱状のコンデンサ素子の外周側面に沿って湾曲するように延設され、前記第２の接続導体は、前記第１端面に沿って延びるとともに、前記第２の電極端子に接続される一端部と、前記第２端面に沿って延びるとともに、前記第２の取出し電極に接続される他端部と、前記一端部から前記延長部へと屈曲する第１の屈曲部と、前記延長部から前記他端部へと屈曲する第２の屈曲部とを有し、前記第１および第２の屈曲部は、前記一端部および他端部の幅方向に対して斜めに屈曲形成されていることを特徴としている。
【０００９】
この構成によれば、第２の接続導体の延長部は、コンデンサ素子の外周側面に沿って例えばねじれ変形し、当該外周側面の一部を覆う。これにより、第２の接続導体の延長部は、巻芯方向に延びるものよりも、コンデンサ素子の外周側面をより大きな面積で覆うこととなる。
したがって、本発明のフィルムコンデンサでは、耐電流性能を向上させることができる。また、コンデンサ素子において生じる磁束と、第２の接続導体を流れる電流により生じる磁束とが、互いに打ち消し合う効果が高められる結果、インダクタンスを低減させることができる。
【００１１】
この構成によれば、第１および第２の屈曲部に連続する延長部を、自然に巻芯方向に対して斜めとなるように配置することができ、この延長部をコンデンサ素子の外周側面に対して容易に沿わせることができる。
【００１２】
また、本発明のフィルムコンデンサは、誘電体フィルムに金属蒸着電極が形成された金属化フィルムを所定の巻芯方向を中心に巻回してなる円柱状のコンデンサ素子と、前記コンデンサ素子の一方端側に形成された第１端面に設けられた第１の取出し電極と、前記コンデンサ素子の他方端側に形成された第２端面に設けられた第２の取出し電極と、前記コンデンサ素子ならびに前記第１および第２の取出し電極を収容し、当該第１の取出し電極が位置する側を開口部とする有底筒状のケースと、前記第１の取出し電極側に設けられ、外部接続端子として機能する第１および第２の電極端子と、前記第１の電極端子と前記第１の取出し電極とを接続する第１の接続導体と、前記コンデンサ素子の外周側面に沿って延びる延長部を有し、前記第２の電極端子と前記第２の取出し電極とを接続する帯状の第２の接続導体とを備え、前記延長部は、前記巻芯方向に対して傾斜しつつ前記円柱状のコンデンサ素子の外周側面に沿って湾曲するように延設され、前記第２の接続導体は、前記第１端面に沿って延びるとともに、前記第２の電極端子に接続される中間部と、前記第２端面に沿って延びるとともに、前記中間部の両側に前記第２の取出し電極に独立して接続される両端部と、前記中間部と前記両端部との間に形成される一対の前記延長部と、前記中間部から前記延長部のそれぞれへと屈曲する一対の第１の屈曲部と、前期延長部のそれぞれから前記両端部のそれぞれへと屈曲する一対の第２の屈曲部とを有し、前記第１および第２の屈曲部は、前記中間部および前記両端部の幅方向に対して斜めに屈曲形成されていることを特徴としている。
【００１３】
この構成によれば、コンデンサ素子の外周側面全体のうち延長部により覆われる部分の割合が大幅に大きくなる。これにより、耐電流性能の向上およびインダクタンスの低減をより一層図ることができる。
【発明の効果】
【００１４】
本発明によれば、耐電流性能を高めるとともに、インダクタンスを低減させることができるフィルムコンデンサを提供することができる。
【図面の簡単な説明】
【００１５】
【図１】本発明の第１実施形態に係るフィルムコンデンサの分解斜視図である。
【図２】図１に示すフィルムコンデンサの一部切欠き側面図である。
【図３】図２のIII-III線に沿う一部切欠き上面図である。
【図４】図２のIV-IV線に沿う一部切欠き底面図である。
【図５】図２のV-V線に沿う一部切欠き側面図である。
【図６】図１に示すフィルムコンデンサに適用される第２の接続導体の平面図である。
【図７】図１に示すフィルムコンデンサに適用されるコンデンサ素子の分解斜視図である。
【図８】本発明の第２実施形態に係るフィルムコンデンサの分解斜視図である。
【図９】図８に示すフィルムコンデンサの一部切欠き側面図である。
【図１０】図８に示すフィルムコンデンサを上側から見た一部切欠き上面図である。
【図１１】図８に示すフィルムコンデンサを底側から見た一部切欠き底面図である。
【図１２】図８に示すフィルムコンデンサに適用される第２の接続導体の平面図である。
【図１３】従来のフィルムコンデンサを示す一部切欠き底面図である。
【図１４】従来のフィルムコンデンサにおける課題を説明するための一部切欠き底面図である。
【発明を実施するための形態】
【００１６】
以下、本発明の実施形態について、図面を参照して詳細に説明する。
【００１７】
図１は、本発明の第１実施形態に係るフィルムコンデンサの分解斜視図であり、図２は、図１に示すフィルムコンデンサの一部切欠き側面図である。図３〜５は、図２の各矢視線に沿う一部切欠き上面図、一部切欠き底面図、一部切欠き側面図である。なお、図１では、便宜上、一部の部材を省略している。
【００１８】
図１〜５に示すように、第１実施形態のフィルムコンデンサＡは、ケース１、蓋２、コンデンサ素子３、第１および第２の電極端子４Ａ，４Ｂ、第１の接続導体５、および第２の接続導体６を備えている。
【００１９】
ケース１は、有底円筒状に形成されている。ケース１は、一端側（図１において上側）に開口された開口部１０、他端側（図１において下側）に底部１１、内部に内周壁１２を有する。
【００２０】
蓋２は、ケース１の開口部１０を封止するように設けられる。蓋２には、第１および第２の電極端子４Ａ，４Ｂを挿通させるための孔２０Ａ，２０Ｂが設けられている。
【００２１】
コンデンサ素子３は、ケース１の内部に収容される。本実施形態に適用されるコンデンサ素子３は、次のような構成からなる。
【００２２】
図７は、コンデンサ素子３の分解斜視図である。同図に示すように、コンデンサ素子３は、たとえば誘電体フィルム３０の片面に金属蒸着電極３１が形成された２枚の金属化フィルム３０Ａ，３０Ｂを重ね合わせて巻芯方向を中心に巻回し、円柱状に形成されたものである。
図１および図２に示すように、コンデンサ素子３は、巻芯方向Ｌに沿ってケース１に挿入される。コンデンサ素子３は、開口部１０側に配置される第１端面３Ａ、底部１１側に配置される第２端面３Ｂ、内周壁１２に面する外周側面３Ｃを有する。巻回された金属化フィルム３０Ａ，３０Ｂにおいて、誘電体フィルム３０および金属蒸着電極３１は、交互に重なり合っている。
一方の金属化フィルム３０Ａにおいて第２端面３Ｂ側の縁部には、金属蒸着電極３１が形成されない無蒸着耳部３０ａが設けられている。他方の金属化フィルム３０Ｂにおいて第１端面３Ａ側の縁部には、金属蒸着電極３１が形成されない無蒸着耳部３０ｂが設けられている。金属蒸着電極３１は、小区分単位に分割されている。これにより、本実施形態のコンデンサ素子３では、金属蒸着電極３１の一部に絶縁欠陥が生じた場合、その部分が全体から切り離されるので、コンデンサとしての機能が失われない。
【００２３】
第１端面３Ａおよび第２端面３Ｂには、たとえば金属溶射によって第１の取出し電極３Ａ’および第２の取出し電極３Ｂ’が形成されている。第１の取出し電極３Ａ’は、一方の金属化フィルム３０Ａの金属蒸着電極３１に連接しており、第２の取出し電極３Ｂ’は、他方の金属化フィルム３０Ｂの金属蒸着電極３１に連接している。これにより、コンデンサ素子３では、第１端面３Ａと第２端面３Ｂとの間に電圧が印加され、コンデンサとして機能する。
【００２４】
コンデンサ素子３の外周側面３Ｃにおいて、第１端面３Ａおよび第２端面３Ｂの近傍部分となる縁部には、絶縁テープ３２が巻回されている。第１端面３Ａの略半分の領域には、第１の取出し電極３Ａ’の一部を覆うように絶縁板３３が設けられている。図２および図５に示すように、コンデンサ素子３とケース１との間には絶縁樹脂３４が充填される。第２端面３Ｂは、絶縁板３５を介して底面１１に接合固定されている。これにより、コンデンサ素子３は、ケース１と絶縁されている。
【００２５】
第１および第２の電極端子４Ａ，４Ｂは、第１端面３Ａ上に対向するように配置されている。第１および第２の電極端子４Ａ，４Ｂの先端部は、蓋２の孔２０Ａ，２０Ｂに挿通された状態で外方に露出させられる。
図３に示すように、第１の電極端子４Ａは、露出した第１の取出し電極３Ａ’上に配置され、第２の電極端子４Ｂは、絶縁板３３上に配置されている。
【００２６】
第１の接続導体５は、第１の電極端子４Ａと第１の取出し電極３Ａ’とを接続するものである。第１の接続導体５は、帯状の金属板をコの字状に屈曲して形成されている。第１の接続導体５の一端部は、第１の電極端子４Ａの基端部に接合されている。第１の接続導体５の他端部は、はんだ付けにより第１の取出し電極３Ａ’に接合されている。
図２および図３に示すように、第１の接続導体５において、第１の電極端子４Ａや第１の取出し電極３Ａ’と接合される部分以外の部分は、絶縁材５’により被覆されている。これにより、第１の接続導体５と、ケースとが絶縁される。
【００２７】
第２の接続導体６は、第２の電極端子４Ｂと第２の取出し電極３Ｂ’とを接続するものである。図６は、第２の接続導体６の平面図である。
同図に示すように、第２の接続導体６は、第１の接続導体５より長い帯状で平面視において折れ曲がった金属板をコの字状に屈曲して形成されている。第２の接続導体６は、第２の電極端子４Ｂに接続される一端部６Ａ、第２の取出し電極３Ｂ’に接続される他端部６Ｂ、一端部６Ａから他端部６Ｂへと延びる延長部６Ｃ、一端部６Ａから延長部６Ｃへと屈曲する第１の屈曲部６Ｄ、延長部６Ｃから他端部６Ｂへと屈曲する第２の屈曲部６Ｅを有する。
図２〜５に示すように、一端部６Ａおよび他端部６Ｂの接続部分以外の部分、延長部６Ｃ、ならびに、第１および第２の屈曲部６Ｄ，６Ｅは、絶縁材６’により被覆されている。これにより、第２の接続導体６にも、リーク電流の低減対策が施されている。
【００２８】
図２および図５に示すように、一端部６Ａは、絶縁板３３上でこれから離間するように配置されている。
図３に示すように、一端部６Ａは、第１端面３Ａ（第１の取出し電極３Ａ’）の縁近傍から絶縁板３３の中央付近まで第１端面３Ａに沿って延びている。一端部６Ａは、第２の電極端子４Ｂの基端部に接合され、一定の幅寸法に形成されている。
【００２９】
図２および図５に示すように、他端部６Ｂは、第２端面３Ｂ（第２の取出し電極３Ｂ’）に密接してこれに沿うように配置されている。
図４に示すように、他端部６Ｂは、第２端面３Ｂ（第２の取出し電極３Ｂ’）の縁近傍から内側に向かって延びている。他端部６Ｂは、巻回端面に平行な面内（巻芯方向Ｌに垂直な面内）において、一端部６Ａとは重ならない位置に配置されている。他端部６Ｂは、はんだ付けにより第２の取出し電極３Ｂ’に接合され、一定の幅寸法に形成されている。
なお、本実施形態では、一端部６Ａと他端部６Ｂとの幅寸法が同一であるが、異なる幅寸法であってもよい。
【００３０】
図２に示すように、延長部６Ｃは、これを正面視して、コンデンサ素子３の巻芯方向の垂直方向Ｌに対して斜めに延びている。延長部６Ｃは、外周側面３Ｃに沿いつつ、ねじれ変形しており、当該外周側面３Ｃの一部を覆っている。
図５に示すように、延長部６Ｃは、内周壁１２と外周側面３Ｃとの間に形成された一定幅の隙間に配置されている。この隙間は、絶縁樹脂３４が充填されて湾曲した空間になっている。
【００３１】
図６に示すように、第１の屈曲部６Ｄは、一端部６Ａの幅方向Ｗに対して斜めに屈曲形成されている。
図３および図５に示すように、第１の屈曲部６Ｄは、第１端面３Ａの円弧状の縁部付近から若干離間して位置し、当該縁部の接線方向Ｌ１に概ね沿うように配置されている。第１の屈曲部６Ｄは、内周壁１２と干渉しないように配置されている。
【００３２】
図６に示すように、第２の屈曲部６Ｅは、他端部６Ａの幅方向Ｗに対して斜めに屈曲形成されている。同図に示すように展開した状態において、第２の屈曲部６Ｅは、第１の屈曲部６Ｄとは異なる折れ線方向になっている。
図４および図５に示すように、第２の屈曲部６Ｅは、第２端面３Ｂの円弧状の縁部近傍に位置し、当該縁部の接線方向Ｌ２に概ね沿うように配置されている。第２の屈曲部６Ｅは、巻芯方向Ｌに垂直な面内において、第１の屈曲部６Ｄとは重ならない位置に配置されている。
すなわち、第１および第２の屈曲部６Ｄ，６Ｅは、共に巻芯方向Ｌに対して垂直な折れ線方向を形成するものの、互いにねじれの位置関係をなすように配置されている。第２の屈曲部６Ｅも、内周壁１２と干渉しないように配置されている。
【００３３】
上記フィルムコンデンサＡでは、次のような効果が得られる。
【００３４】
第２の接続導体６の延長部６Ｃは、コンデンサ素子３の外周側面３Ｃに沿ってねじれ変形した状態でケース１内に収容される。すなわち、延長部６Ｃは、外周側面３Ｃの巻芯方向Ｌに沿う長さ寸法よりも長くて斜めに延びており、外周側面３Ｃを広く覆いやすい形態になっている。
これにより、延長部６Ｃは、巻芯方向Ｌに沿って延びる形態としたものよりも、外周側面３Ｃをより大きな面積で覆うこととなる。
【００３５】
また、第１および第２の屈曲部６Ｄ，６Ｅは、互いにねじれの位置関係をなしつつ、第１端面３Ａおよび第２端面３Ｂの縁部の接線方向Ｌ１，Ｌ２に沿って折れ線をなすように屈曲形成させられている。これにより、第１および第２の屈曲部６Ｄ，６Ｅに連続する延長部６Ｃは、自然とねじれ変形した形態になるので、この延長部６Ｃを外周側面３Ｃに対して容易に沿わせることができる。
【００３６】
さらに、延長部６Ｃは、ケース１の内周壁１２に沿って、ねじれ変形した形態にもなっている。そのため、延長部６Ｃは、内周壁１２と外周側面３Ｃとの間に形成された湾曲空間状の隙間に適切に位置している。
これにより、延長部６Ｃについては、ねじれ変形などがなく、まっすぐ延びるものと比べた場合、内周壁１２と接触しない範囲内においてできる限り幅広に形成することができる。すなわち、延長部６Ｃは、電流路としての断面積をより大きく確保することができる。
【００３７】
したがって、フィルムコンデンサＡによれば、第２の接続導体６の延長部６Ｃを幅広に形成して断面積を大きくすることができ、耐電流性能を向上させることができる。
【００３８】
また、作動時にコンデンサ素子３において生じる磁束と、第２の接続導体６を流れる電流により生じる磁束とは、延長部６Ｃにより外周側面３Ｃが覆われる面積が大きくなるほど互いに打ち消し合う効果が高められる。これにより、フィルムコンデンサＡでは、磁力線の打ち消し効果によってインダクタンスをより低減させることができる。
【００３９】
次に、本発明の第２実施形態について、図面を参照して説明する。なお、上記第１実施形態によるものと同一または類似の構成要素については、同一符号を付してその説明を略する。
【００４０】
図８は、本発明の第２実施形態に係るフィルムコンデンサの分解斜視図である。図９は、そのフィルムコンデンサの一部切欠き側面図、図１０は、そのフィルムコンデンサの一部切欠き上面図、図１１は、そのフィルムコンデンサの一部切欠き底面図である。なお、図８では、便宜上、一部の部材を省略している。
【００４１】
図８〜１１に示すように、第２実施形態のフィルムコンデンサＢも、ケース１、蓋２、コンデンサ素子３、第１および第２の電極端子４Ａ，４Ｂ、第１の接続導体５、および第２の接続導体７を備えている。第２実施形態のフィルムコンデンサＢは、第１実施形態のものとは第２の接続導体７の形態が異なるだけであり、その余の構成は同一である。
【００４２】
図１２は、第２の接続導体７の平面図である。同図に示すように、第２の接続導体７は第１の接続導体５より長い帯状で、平面視において折れ曲がった金属板を概ねブラケット状に屈曲して形成されている。
【００４３】
第２の接続導体７は、第２の電極端子４Ｂに接続される中間部７Ａ、第２の取出し電極３Ｂ’に接続される両端側２つの端部７Ｂ、中間部７Ａと両端側２つの端部７Ｂとの間に形成される一対の延長部７Ｃ、中間部７Ａから延長部７Ｃのそれぞれへと屈曲する一対の第１の屈曲部７Ｄ、延長部７Ｃのそれぞれから端部７Ｂのそれぞれへと屈曲する一対の第２の屈曲部７Ｅを有する。
なお、以下の説明においては、両端側２つの端部７Ｂをまとめた呼称として両端部７Ｂと称する。
【００４４】
図９〜１１に示すように、中間部７Ａおよび両端部７Ｂの接続部分以外の部分、延長部７Ｃ、ならびに、第１および第２の屈曲部７Ｄ，７Ｅは、絶縁材７’により被覆されている。これにより、第２の接続導体７にも、リーク電流の低減対策が施されている。
【００４５】
図９に示すように、中間部７Ａは、第１実施形態の一端部６Ａに相当する部分である。図１０に示すように、中間部７Ａは、第１端面３Ａ（第１の取出し電極３Ａ’）の縁近傍からこれに対向する縁近傍まで延びており、絶縁板３３を大きく覆っている。中間部７Ａは、第２の電極端子４Ｂの基端部に接合され、一定の幅寸法に形成されている。
【００４６】
図９および図１１に示すように、両端部７Ｂは、第１実施形態の他端部６Ｂに相当する部分である。両端部７Ｂは、互いに対向するように配置されている。両端部７Ｂは、はんだ付けにより一括して第２の取出し電極３Ｂ’に接合され、一定の幅寸法に形成されている。
なお、本実施形態では、中間部７Ａと両端部７Ｂとの幅寸法が同一であるが、異なる幅寸法であってもよい。
【００４７】
延長部７Ｃは、第１実施形態の延長部６Ｃと同様であり、コンデンサ素子３の巻芯方向Ｌに対して斜めに延びているが、図９に示すように、コンデンサ素子３を挟んで互いに対向した位置に一対設けられている。
これらの延長部７Ｃも、外周側面３Ｃに沿ってねじれ変形しており、当該外周側面３Ｃの一部を覆っている。
【００４８】
図１２に示すように、一対の第１の屈曲部７Ｄは、互いに線対称となるように屈曲形成されている。
図１０に示すように、一対の第１の屈曲部７Ｄは、第１端面３Ａを挟んで互いに対向する位置に配置されている。一方の第１の屈曲部７Ｄは、第１端面３Ａの接線方向Ｌ１に概ね沿うように配置されており、他方の第１の屈曲部７Ｄは、第１端面３Ａの上記接線方向Ｌ１と線対称をなす接線方向Ｌ１’に概ね沿うように配置されている。
その他の点について、第１の屈曲部７Ｄのそれぞれは、第１実施形態の第１の屈曲部６Ｄと同様である。
【００４９】
図１２に示すように、一対の第２の屈曲部７Ｅは、互いに線対称となるように屈曲形成されている。
図１１に示すように、一対の第２の屈曲部７Ｅは、第２端面３Ｂを挟んで互いに対向する位置に配置されている。一方の第２の屈曲部７Ｅは、第２端面３Ｂの接線方向Ｌ２に概ね沿うように配置されており、他方の第２の屈曲部７Ｅは、第２端面３Ｂの接線方向Ｌ２と線対称をなす接線方向Ｌ２’に概ね沿うように配置されている。
その他の点について、第２の屈曲部７Ｅのそれぞれは、第１実施形態の第２の屈曲部６Ｅと同様である。
このような第１および第２の屈曲部７Ｄ，７Ｅも、延長部７Ｃの両側に位置するもの同士がねじれの位置関係をなすように配置される。
【００５０】
上記フィルムコンデンサＢでは、次のような効果が得られる。
【００５１】
一対の延長部７Ｃは、絶縁板３３を挟んで対向する外周側面３Ｃの２つの部分を覆うことになる。これにより、外周側面３Ｃ全体のうち延長部７Ｃにより覆われる部分の面積は、たとえば第１実施形態によるものと延長部７Ｃなどの幅寸法が同じ場合、２倍程度大きくなる。
【００５２】
したがって、フィルムコンデンサＢによれば、耐電流性能の向上およびインダクタンスの低減をより一層図ることができる。
【００５３】
また、フィルムコンデンサＢでは、製造工程上、次のような利点もある。たとえば、第１実施形態において適用された第２の接続導体６を２つ用いれば、第２実施形態によるものと同程度の電磁的効果を期待することができるが、その場合、第２の電極端子４Ｂや第２の取出し電極３Ｂ’に対して２つの接続導体６を個別にはんだ付けしなければならず、製造工程が増えることになる。一方、フィルムコンデンサＢによれば、１つの接続導体６をはんだ付けするだけでよいので、製造工程を複雑化せずに電磁的効果を高めることができる。
【符号の説明】
【００５４】
Ａ，Ｂ          フィルムコンデンサ
１              ケース
１０            開口部
３              コンデンサ素子
３Ａ            第１端面
３Ｂ            第２端面
３Ｃ            外周側面
３Ａ’          第１の取出し電極
３Ｂ’          第２の取出し電極
３０            誘電体フィルム
３０Ａ，３０Ｂ  金属化フィルム
３１            金属蒸着電極
４Ａ            第１の電極端子
４Ｂ            第２の電極端子
５              第１の接続導体
６，７          第２の接続導体
６Ａ            一端部
７Ａ            中間部
６Ｂ            他端部
７Ｂ            両端部
６Ｃ，７Ｃ      延長部
６Ｄ，７Ｄ      第１の屈曲部
【図１】
0005783897.tif 000002
【図２】
0005783897.tif 000003
【図３】
0005783897.tif 000004
【図４】
0005783897.tif 000005
【図５】
0005783897.tif 000006
【図６】
0005783897.tif 000007
【図７】
0005783897.tif 000008
【図８】
0005783897.tif 000009
【図９】
0005783897.tif 000010
【図１０】
0005783897.tif 000011
【図１１】
0005783897.tif 000012
【図１２】
0005783897.tif 000013
【図１３】
0005783897.tif 000014
【図１４】
0005783897.tif 000015